(57)【特許請求の範囲】
【請求項１】
容器の口頸部に嵌着して開口部を塞ぐ栓体の底壁部の中央部に容器内の内容液を導出する導出筒体を立設すると共に底壁部の周縁部に筒状周壁を立設して計量部が形成されて、前記導出筒体の下部には吸い上げ管を嵌合可能に形成された中栓を、
内容液を収容する中空容器の胴壁部を押圧変形が可能なように形成された中空容器本体の口頸部に嵌着、固定せしめると共に、上端部に内容液を注出する注出口と開口部が形成されると共に下端部に前記中栓の筒状周壁に螺着可能な筒状壁が形成された筒状の中蓋を、
前記中栓の筒状周壁に進退自在に螺合せしめて、内容積を変更可能にした計量室を形成すると共に前記開口部に導出筒体の先端面を離接せしめて開閉自在にした蓋体を形成して、一定量に計量して内容液を注出可能にし、
前記導出筒体は、円筒状に形成された先端部が前記中蓋の開口部内面に密着して、開口部を密閉可能な閉塞面に形成されると共に先端部の側壁部に内容液の吐出開口部が形成されてなり、
前記中蓋を、前記中栓に対して上下方向に進退移動させることにより、前記導出筒体の先端面と、前記中蓋の開口部内面と、の間の上下方向の隙間を調整可能にしたことを特徴とする液体定量注出容器。
【請求項２】
容器の口頸部に嵌着して開口部を塞ぐ栓体の底壁部の中央部に容器内の内容液を導出する導出筒体を立設すると共に底壁部の周縁部に筒状周壁を立設して計量部が形成されて、前記導出筒体の下部には吸い上げ管を嵌合可能に形成された中栓を、
内容液を収容する中空容器の胴壁部を押圧変形が可能なように形成された中空容器本体の口頸部に上下方向に摺動可能に嵌着せしめて、上端部に内容液を注出する注出口と開口部が形成されると共に下端部に前記中栓の筒状周壁に螺合して口頸部に嵌着される筒状壁が形成されてなる筒状の中蓋を、
前記中栓の筒状周壁に進退自在に螺合せしめると共に口頸部に回動自在に嵌着せしめて、内容積を変更可能にした計量室を形成すると共に前記開口部に導出筒体の先端面を離接せしめて開閉自在にした蓋体を形成して、一定量に計量して内容液を注出可能にし、
前記導出筒体は、円筒状に形成された先端部が前記中蓋の開口部内面に密着して、開口部を密閉可能な閉塞面に形成されると共に先端部の側壁部に内容液の吐出開口部が形成されてなり、
前記中蓋を、前記中栓に対して上下方向に進退移動させることにより、前記導出筒体の先端面と、前記中蓋の開口部内面と、の間の上下方向の隙間を調整可能にしたことを特徴とする液体定量注出容器。
【請求項３】
前記中蓋の下端部には、前記中栓の筒状周壁内に上下方向に進退自在に嵌合される内筒壁が形成されていることを特徴とする請求項１に記載する液体定量注出容器。
【請求項４】
前記中栓には、前記筒状周壁の内側に配設された筒状内壁が備えられ、前記中蓋の下端部には、前記筒状内壁内に上下方向に進退自在に嵌合される内筒壁が形成されていることを特徴とする請求項２に記載する液体定量注出容器。
【請求項５】
前記中蓋は、上端部分が多段状に絞られて、蛇腹状に圧縮変形できるように薄肉状に形成されてなることを特徴とする請求項３または請求項４に記載する液体定量注出容器。
【発明の詳細な説明】
【０００１】
【発明の属する技術分野】
本願の発明は、中空容器に収容されている液状の内容物を一定量ずつ計量してから注出できるようにした注出容器に係わるもので、更に詳しくは、中空容器に収容された養毛剤やその他の液体化粧料、あるいは、消毒薬その他の液状薬剤、手洗い用その他の液体洗剤、シロップその他の液状調味料、検査用試薬等々の各種の液状物を、容器から注出して使用する際に、予め決められた適正な一定量を容器の蓋部で計量してから注出できるようにした液体定量注出容器に関するものである。
【０００２】
【従来の技術】
中空容器に収容された各種の液状の物質を計量してから注出するようにした容器としては、従来から種々の形式の注出容器が提案されているが、それらの容器の大半は、特開平９−１０４４５６号公報その他に見られるような中空容器の口頸部に計量筒部を設けた形状の注出容器であったが、これらの容器は、容器の開口部にヒンジ蓋を設けて注出口が大きく形成されていて、内溶液を一度に注出可能にしたものであるから、注出口での液切れがあまり良くなくて液垂れを生ずるものがあり、また、頭皮や傷口、あるいは、小さな容器に対して少しずつ注出させたりするのには些か不向きな点があった。
【０００３】
そこで、上記したような注出容器としての欠点をなくして、適正な一定量に計量された溶液を注出する容器の注出口を小さくして、液切れが良くなるように形成した注出容器として、実開平２−９７２５１号や実開平４−２１４５０号公報に記載されるような構造をした計量注出容器が提案されている。
これらの定量注出容器は、図１４に示すように、胴部２１ｂが簡単に弾性変形が可能に形成された中空容器２１の開口部２１ｃを閉塞する栓体の中央部に、注出溶液を導出計量する筒状部２２ａを上方へ突設すると共に、下方に溶液吸い上げ管２４を連結する連結部２２ｂを垂設した中栓体２２の筒状周壁部を容器本体２１の口頸部２１ａに螺着した注出容器本体２１に、小さな開口部２３ｂを設けたヒンジ蓋２５付きの注出溶液の計量筒体２３を螺着して液体計量注出容器に構成されたものである。
【０００４】
上記のような構成の液体計量注出容器に収容された液状物を注出するには、図に示したように、注出容器２１を手中に握って容器の胴壁部２１ｂを押圧して圧縮変形させると、容器本体内の溶液は、吸い上げ管２４を通して導出筒部２２ａの先端開孔から計量筒体２３の計量室２３ａに圧送されるが、押圧力を除いてやると、余分な溶液は前記先端開孔から容器本体内に戻されて、計量室２３ａ内には一定量が貯溜される。
このようにして計量室２３ａに貯溜された溶液は、図１５に示すように、ヒンジ蓋２５を開けてから注出容器２１を逆さまに傾けて、容器の胴壁部２１ｂを押圧することにより、小さな注出口２３ｂから少しずつ注出される。
【０００５】
上記した液体計量注出容器は、決められた一定量の溶液を計量することができて、また、計量した溶液を計量室２３ａから少しずつ注出することができて、注出開孔をヒンジ蓋の中蓋から突出せしめて小径に形成してあるので、前記注出口３２ｂでの液切れが良くなって、液垂れを生じたりもしないので、注出容器としては非常に使い易くて便利である。
しかし、上記したような容器は、蓋部がヒンジ蓋で形成されているので、注出操作を行う際に、ヒンジ蓋が注出口の近くにあるので邪魔になり、また、開孔の隙間を調節することができなくて、更には、これらの容器は、移送や保存等の不使用時に、何らかの原因でヒンジ蓋が開いて、内容物が流出する恐れもある。
【０００６】
上記したような欠点をなくして、注出操作を行う際に蓋部が注出の邪魔にならないようにすると共に、蓋部の開孔の隙間を調節して注出量を加減できる構造をした蓋体を用いて、液切れが良くて、内溶液も少しずつ注出することを可能にした液体注出容器としては、実公昭４０−２３２０号や実公平３−２７９７３号公報等に記載されるようなものが知られている。
これらの注出容器は、図１６に示されるように、胴部３１ｂが弾性変形するように形成された中空容器３１の開口部３１ｃに、開孔３２ａと上方へ突出した密閉栓２３ｂとを有する注出栓３２を嵌着せしめると共に、前記密閉栓に係合して注出口３３ａが閉塞されようにしたネジ蓋３３を中空容器の口頸部３１ａに螺着せしめて、該ネジ蓋の進退により注出口を開閉すると共に開口面積を調節できるように構成されたものである。
【０００７】
上記の注出容器は、密閉されていたネジ蓋を回動せしめて注出口の開口面積を調節してから、逆さまにした容器の胴壁部を押圧することにより内容液を少しずつ注出することができる。
このような注出容器は、ネジ蓋３３のテーパー状に突出した開口部３３ａに前記密閉栓３２ｂが係合するようにネジ蓋を口頸部３１ａに締め付けることにより不用意に開かないように完全に密閉することはできるが、注出口３３ａの開口面積の調節は目視に頼らざるを得ないので不安定なものとなり、また、注出量を一定量に計量することはできず、注出量を変更することもできない。
そこで、注出容器から注出する内容液を一定量に計量することができて、注出時の開口面積を簡単に調節することができて、内容液を少しずつ注出することができて、また、不使用時には開口部はネジ蓋で完全に閉じられていて、不用意に蓋が開くことがないように形成された液体定量注出容器の出現が望まれる。
【０００８】
【発明が解決しようとする課題】
液状物を収容してなる中空の注出容器を、注出する内溶液を決められた一定量に簡単に計量することができて、また、計量された内溶液を注出するのに計量室から適正な量を少しずつ注出することができるように構成して、該注出容器の注出操作を行う際には、注出口の開口部と中栓の先端部との間隙を簡単に調節することができて、注出量の調整を行うことができるように形成すると共に、注出口に於ける液切れの状態を良くして、液垂れを生じないように形成して、更に、該注出容器を移送したり、保存したりする等の不使用時に於いては、何らかの不測の原因によっても容器の蓋が開くことがないように形成すると共に、構造が簡単で非常に使い勝手が良くて、安全で廉価で生産可能な構造にした液体定量注出容器に提供する。
【０００９】
【課題を解決する手段】
本願発明の液体定量注出容器は、液状物を収容する容器の胴部が圧搾可能に形成された中空容器本体と、該中空容器本体の口頸部に嵌着されて、その開口部を塞ぐ栓体の底壁中央部に上方へ突設した筒体の先端部の側面に開口部を設けた溶液導出筒体と、前記栓体の縁部の上面に中蓋を螺着する周壁部を立設して貯溜部を形成すると共に、前記導出筒体の下部に吸い上げ管を連接して形成されてなる中栓と、該中栓に筒状の中蓋を上下動可能に螺合せしめて調整可能な計量室を形成すると共に、該筒状の中蓋の先端部に前記中栓の上端面が離接可能な開口部を形成して開閉可能にした中蓋とから形成されてなる蓋体と、前記中空容器本体の口頸部に嵌着してなる前記蓋体に被着せしめて蓋体の注出口を密閉する外蓋とにより形成されて、計量、注出が可能に構成される。
【００１０】
【発明の実施の態様】
本願発明に於ける液状の内容物を収容する中空容器本体を、熱可塑性合成樹脂のブロー成形により成形すると同時に、該容器の胴部を握力により圧搾できるように成形して、そして、前記中空容器本体の口頸部に嵌合されて、注出する内溶液を一定量に計量して貯溜する計量部を有する中栓と、該中栓に螺着されて前記計量部に形成される計量室を開閉可能にした中蓋とから形成されてなる蓋体を、容器本体の口頸部に装着して、前記計量室内に貯溜した注出溶液を少量ずつ注出可能にした注出容器を構成する。
【００１１】
そして、前記注出容器に於ける中栓は、容器本体の口頸部に嵌着されて開口部を塞ぐ栓体底壁の中央部に容器内の溶液を導出する筒体を立設すると共に、栓体底壁の周縁に筒状の周壁を立設せしめて溶液を貯溜可能な計量部を形成して、前記筒状周壁の外周面には中蓋を螺着可能にしたネジ部を設けると共に、前記栓体底壁部の下面中央に内溶液を吸い上げるための細い管を連接する嵌合筒部を垂設して、前記中空容器本体の口頸部に嵌着可能に形成されている。
また、前記中蓋は、栓体底壁に立設した筒状体の上端部分が圧縮変形がし易い形状に形成されて、その先端部には溶液を注出するための開口部が形成されると共に、前記筒状体の下端部の筒状壁には前記中栓の筒状周壁に螺着可能な螺合ネジが形成されて、該中蓋を前記中栓に進退自在に螺合せしめることにより、中蓋の開口部が中栓の導出筒体の先端面に離接して、注出口を開閉可能となした蓋体に形成される。
【００１２】
上記のように形成された蓋体は、嵌合筒部に吸い上げ管を嵌合、連接した後、内容液を収容した中空容器の口頸部に嵌着されて、内溶液が計量可能に形成された液体定量注出容器本体を形成して、そして、前記注出容器本体にカップ状をした外蓋の内底面が前記中蓋先端の開口部に密着して密閉するように被着せしめることにより、外蓋が中空容器本体の口頸部に螺合された液体定量注出容器を構成する。
このように構成された液体定量注出容器は、カップ状の外蓋を捻じって定量注出容器本体から外した後に、中蓋を回動せしめて注出口が開いた状態にしてから注出容器本体の胴壁部を手中で押圧して圧縮変形させると、内溶液は吸い上げ管を通して導出筒体の先端部の開孔から溢れ出て計量室内に貯溜される。
【００１３】
続いて、前記胴壁部に対する押圧を止めると、計量室内の導出筒体の上端側壁の開孔面より上に存在する余分な溶液は、開孔部から再び導出筒体へ逆流して、吸い上げ管を経て容器内へと戻されるので、計量室内には一定量の溶液だけが残される。
このようにして、一定量の溶液が計量されて計量室に溜められた注出容器は、逆さまにして注出口を目的物に向けてから再び胴壁部を押圧することにより、計量室から少しずつ注出されるので、必要な量だけ注出した後に中蓋を閉じてから、中蓋の上に外蓋を被せて口頸部に螺着することにより注出容器は元の状態のように完全に密閉される。
【００１４】
【実施例】
以下に、本願の発明である液体定量注出容器について、最適な一つの実施例に基づいて、図面を参照しつつ詳細に説明する。
本願の発明は、熱可塑性合成樹脂を用いてブロー成形することにより、図１に示したように、液状をした内容物を収容可能な中空容器本体１を成形すると共に、該中空容器本体１の胴壁部１ｂを握力により圧縮、変形ができるような構造に成形する。
また、上記中空容器本体１の口頸部１ａに嵌着されて開口部を塞ぐ栓体の底壁部２ｅの中央部に容器内の溶液を導出する筒状体２ａを立設すると共に、前記栓体の底壁部２ｅの周縁部に筒状の周壁２ｄを立設して溶液を計量する計量部となる貯溜部をを形成して、更に、前記栓体の底壁部２ｅの下面中央部に吸い上げ管５が連接される嵌合筒部２ｆを垂設して中栓２を形成する。
そして、筒状体の上端部３ａが多段状に絞られて蛇腹状をした先端部に溶液を注出する注出口３ｂが設けられると共に、該筒状体の下端部の外側筒状壁３ｃの内面に前記中栓２の筒状周壁２ｄに螺着可能な螺合ネジ３ｆが設けられてなる中蓋３を、前記中栓２に被着せしめて進退自在に螺合して離接可能となし、内容積を調整可能にした計量室６を形成すると共に、前記注出口を開閉可能となした蓋体７を形成する。（図２参照）
【００１５】
このようにして形成された蓋体７は、中栓２の栓体底壁部２ｅの下面に吸い上げ管５を嵌合、連接して、内容液を吸い上げ可能に形成してから、液体の化粧料や洗剤等が収容された上記注出容器本体１の口頸部１ａに嵌合せしめられて、注出される内溶液を計量可能にした定量注出容器体が構成される。
そして、上記のように構成された定量注出容器体に対して、カップ状をした保護用の外蓋４を前記蓋体７の上から被着せしめて、該外蓋の底面突起部４ａが前記中蓋３先端の注出口３ｂに密着するようにして注出開口部を密閉すると共に、外蓋の下端部４ｂを前記中空容器本体の口頸部１ａに螺合せしめて液体定量注出容器が形成される。
【００１６】
上記のように形成された本願の液体定量注出容器に於ける蓋体７は、筒状をした上端部分３ａが多段状に絞られて、蛇腹状に押圧変形がし易いように形成されると共に、その先端部に溶液が吐出する開口部３ｅを設けて注出口３ｂが形成された中蓋３が、容器の口頸部１ａに嵌着された中栓２に被せられて、中栓の筒状周壁２ｄに上下動可能に螺合されて開閉が可能に形成されているので、該蓋体７の中蓋３を上下動させることに伴って、前記中栓２の導出筒体２ａの先端面２ｃが中蓋の開口部３ｅの内面に離接して、前記注出口３ｂが開放されたり、閉塞されたり、また、前記計量室６の容積を変えて注出する容量が調整できるように構成されて、定量注出容器体が形成されている。
従って、本願発明の定量注出容器は、前記中栓の導出筒体２ａの先端面２ｃと中蓋の開口部３ｅの内面との間隙を調節することにより注出量を調整することができるので、計量室６内に貯溜された溶液を少量ずつ注出可能となる。
【００１７】
上記のように形成された液体定量注出容器から内溶液を注出して使用するに際しては、注出容器本体１を手中に持ってカップ状をした外蓋４を捻じって、図２に示すように、本体から外蓋４を外した状態にして、更に、中蓋３を捻じることにより上方へ移動させて開口部３ｅが開いた状態にしてから、図３に示したように、注出容器本体１の胴壁部１ｂを手中で押圧して圧縮変形させることにより容器内部は加圧状態となるから、内溶液は圧力により吸い上げ管５を通して導出筒体２ａへと押し上げられて、その先端部の開孔２ｂから筒状をした計量室６内へと溢れ出る。
そこで、計量室６に内溶液が充満されたところで前記胴壁部１ｂに対する押圧を止めると、計量室内の導出筒体２ａの先端開孔２ｂ面より上に存在する余分な溶液は、開孔部２ｂから再び導出筒体２ａへ逆流して、吸い上げ管５を経て容器本体内へと戻されるので、計量室６内には常に計量された一定量の注出溶液だけが残って貯溜される。
【００１８】
上記のようして、一定量に計量された溶液が計量室６内に溜められた注出容器は、図４に示すように、手中に持ったままで逆さまの状態にして注出口３ｂを目的面に向けてから再び胴壁部１ｂを押圧することにより、計量室６内に溜まった溶液を中蓋３の開口部３ｅから噴射せしめて注出することができる。
そして、必要な量だけ注出した後に注出容器を元の状態に立ててから中蓋３を捻じると、中栓２の導出筒体２ａの先端面２ｃが中蓋３の開口部３ｅの内面に密着して吐出口が閉じられるので、前記中蓋３の上に外蓋４を被せて注出容器の口頸部１ａに螺着して固定すれば、注出容器は最初の状態のようになって完全に密閉される。
【００１９】
上記した実施例に於ける本願発明の開口部は、従来の容器のように大きく形成されていないので、内溶液を簡単に少量ずつ注出することができて、液切れもよくて、そして、注出容器の胴壁部を押圧する圧力により流出量を加減することも可能である。
また、本願発明は、図に示されるように、中蓋の上端部を多段状に絞った形状にして、変形可能な肉薄状をした蛇腹状に形成しておくことにより、計量された内溶液を注出するに際して、蓋体の注出口を目的面に向けて内溶液を噴射するようにして注出するのではなくて、注出口を目的面に押し付けることにより前記蓋体先端部分の薄肉部分が蛇腹状に容器本体側へ圧縮変形されるので、その反作用により内容液を注出することが可能となり、その押圧力の強弱により注出量を加減しながら注出することができる。
【００２０】
ところで、本願の発明は、注出容器の口頸部１ａに螺着された計量部６を有する蓋体７の中栓２と中蓋３が螺合する部分に、図５（ｂ）に示すように、閉の状態から中蓋を捻じって開の状態へ移動させて停止させるのに、開放度が小から大になる目印点が設けてあるので、中蓋３を上方へ移動させることにより、内容液を注出させるために単に開口部３ｅを開くだけではなくて、計量室６の容量を選んで適宜変更して停止することができるように係止部が形成されている。
即ち、図５（ａ）に示す状態に於いては、中栓２の導出筒体２ａの先端面２ｃが中蓋３の開口部３ｅの内面に密着して吐出口が閉じられた位置にあるが、外蓋４を外してから中栓２に対して中蓋３を捻じると、中栓の外周に設けられた螺旋条２ｇに係合したリブ３ｇにより中蓋３は螺旋状に回転されて開口部３ｅが開かれるように目印に移動して、中蓋と中栓との間隙を閉から小へ、小から大へと、次第に大きくなるように開放することができる。
【００２１】
従って、上記のような構造をした本願発明の注出容器に於いて、蓋体７の中蓋３を捻じると、中蓋は図２に示される位置から更に図６に示される位置へと回転されて移動するから、中栓２の導出筒体２ａの先端面２ｃと中蓋３の開口部３ｅの内面との間隙が、図２に示した場合の間隙に比べて広くなると同時に、中蓋３の下端部３ｃ，３ｄも上方へと移動されて計量室６の内容量が大きくなるように変更されることになる。
このようにして計量室の容積を大きくした状態にしておいてから胴壁部を押圧すると、図７に示されるように内溶液が計量されて、図２に示される場合よりも多量の内溶液を貯溜することが可能となるので、図２の状態の場合より多量の注出溶液を速く注出することができるようになる。
【００２２】
上記した実施例の液体計量注出容器の計量室を形成する中栓と中蓋との接合部は、中栓２の筒状周壁２ｄの内周面に密着する内側筒状壁３ｄと筒状周壁２ｄの外周面のネジに螺合する外側筒状壁３ｃを下端部に設けた中蓋３を、中栓２の栓体底壁部に立設した筒状周壁２ｄの内周面に前記内側筒状壁３ｄが密着すると共に、筒状周壁２ｄの外周面に外側筒状壁３ｃが螺合した接合構造をしている。
上記のように形成された注出容器に於いて、内溶液を計量して注出するために注出口３ｂの開口部３ｅを開放するに際して、前記蓋体７の中蓋３を捻じると、口頸部１ａに嵌着、固定された中栓２の外周に設けられた螺旋条２ｇに沿って中蓋３は上方へ移動されて、該中蓋の下端部の内側筒状壁３ｄが中栓２の筒状周壁２ｄの内周面に密着した状態で上昇して開口部３ｅが開かれる。
【００２３】
上記した実施例に於ける本願発明の液体計量注出容器の中栓２と中蓋３との接合部は、中空容器１の口頸部１ａに嵌着して固定された中栓２に中蓋３を上から被着して、密着状態で上下動可能に螺着した接合構造であったが、本願の発明は、このような接合構造に限られるものではなくて、別な接合構造をした計量注出容器にすることができる。
例えば、図８に示すように、中空容器本体１１の口頸部１１ａに密着して上下動可能に嵌合される導出筒体１２ａを有する中栓１２に、注出口１３ｂを有する中蓋１３を螺合せしめると共に中蓋の下端部を前記口頸部１１ａに回動可能に嵌着せしめて、図１０に示すように計量室１６を有する蓋体１７を形成して、前記中蓋１３の回動により中栓１２を上下動させるようにした接合構造にして、溶液を計量できる注出容器に形成することも可能である。
【００２４】
即ち、上記した計量注出容器に於ける中栓１２は、容器本体の口頸部１１ａの開口部を塞ぐ栓体底壁部１２ｅの周縁部に、前記口頸部１１ａの内周面に密着する筒状の内壁１２ｄを立設すると共に、該筒状内壁の上端部に連接したフランジ部に筒状の外壁１２ｇを垂設せしめて、前記口頸部１１ａの内外壁に跨がって嵌合可能にした断面が略逆Ｕ字状の嵌合壁部を有する栓体の構造をして、該栓体の底壁部１２ｅの上面の中央部に容器内の溶液を導出する筒状体１２ａを立設すると共に、下面の中央部には容器内の溶液を吸い上げるための吸い上げ管１５が連接される嵌合筒部１２ｆを垂設して、中空容器の口頸部１１ａに嵌着可能にしたものである。
そして、該中栓１２の上記した嵌合壁の筒状外壁１２ｇの内面には、図９に示すように、容器の口頸部１１ａの外周面に設けられた凹状または凸状のアンダーカット部１１ｃに係合する凸状または凹状に形成したアンダーカット部１２ｊが、また、前記嵌合壁の筒状外壁１２ｇの外面には、中蓋１３の下端部が螺合されるネジ部１２ｈがそれぞれ設けられて、容器本体の口頸部１１ａに上下動可能に嵌着されるように形成されている。
【００２５】
そして、中栓１２に螺合される上記中蓋１３は、下端部に中栓１２の前記嵌合壁の内壁１２ｄの内周面に密着する内側筒状壁１３ｄと、中栓１２の前記嵌合壁の外壁１２ｇの外周面に螺合するネジ部１３ｆと容器の口頸部１１ａに嵌合する嵌合部１３ｇとを有する外側筒状壁１３ｃとをフランジ部１３ｈを介して連接して中栓に嵌合可能にして、前記中栓１２の嵌合壁の内外壁１２ｄ，１２ｇと密着、嵌合可能に形成された嵌合筒状部を有し、該嵌合筒状部の上端部１３ａが多段状に絞られて、その先端部に溶液を注出する注出口１３ｂを形成して、容器の口頸部１１ａに回動可能に嵌合するように形成されている。
このように形成された中蓋１３は、その下端部の筒状嵌合部を中栓１２の嵌合壁部に上下動可能に螺合せしめて、内容液を計量、貯溜する計量室１６を形成して、前記注出口１３ｂの開口部１３ｅを開閉可能にした蓋体１７を形成する。
【００２６】
上記のようにして形成された蓋体１７は、中栓１２の栓体底部１２ｅの下面の前記嵌合筒部１２ｆに吸い上げパイプ１５を嵌合、連接して、内容液を吸い上げ可能に形成されて、上記した中空容器本体１に液体の化粧料や洗剤等が収容された注出容器の口頸部１ａに嵌合せしめられて、注出される内溶液を計量可能にした定量注出容器本体が構成される。
そして、上記のように構成された定量注出容器本体に、カップ状をした保護用の外蓋１４を前記蓋体１７の上から被着せしめて、該外蓋の底面突起部１４ａが前記中蓋１３先端の注出口１３ｂに密着するようにして該注出口を密閉すると共に、前記外蓋の下端部１４ｂを前記中空容器本体の口頸部１１ａの下端部に螺合せしめて液体定量注出容器を形成する。
【００２７】
上記実施例のようにして計量室１６が形成された蓋体１７に於いて、中栓１２と中蓋１３との接合部は、中栓１２の嵌合壁部の筒状内壁１２ｄの内周面に中蓋１３の内側筒状壁１３ｄの外周面が密着、接合されると共に、中栓１２の嵌合壁部の筒状外壁１２ｇの外周面に中蓋１３の外側筒状壁１３ｃの内面ネジ部１３ｆが螺合されて、前記中蓋１３の回動により中栓１２を上下方向に摺動して、中蓋の開口部１３ｅが開閉したり、計量室の容量の大きさが変化したりする接合構造をしている。
【００２８】
上記のような構造をした液体計量注出容器は、図１０に示すように、カップ状の外蓋１４を容器本体１から外してから中蓋１３を開放側へ回動させると、該中蓋１３と口頸部１１ａの内面に密着する中栓１２はネジの作用により押し下げられるので、中栓１２のアンダーカット部１２ｈは係合している口頸部１１ａ外面のアンダーカット部１１ｃの頂壁を乗り越えて、次のアンダーカット部へと移動して係合停止する。
このようにして中栓１２が押し下げられると、中栓の先端面１２ｃが中蓋１３の開口部１３ｅから離れて蓋体１７は開口状態となるので、手中に握った容器本体１１の胴壁部１１ｂを押圧することにより、図１１に示したように、内溶液は吸い上げ管１５を通して蓋体１７の計量室１６へ押し上げられて計量されて、注出可能になる。
【００２９】
そして、上記のような状態から更に中蓋３を回動させて、図１２に示したように、中栓１２を口頸部１１ａに最下段のアンダーカット部分に係合するまで移動させると、計量室１６の容積は前記図１１に示した場合よりも大きく形成されるので、手中に握った容器本体１１の胴壁部１１ｂを押圧すると、図１３に示すように、より多くの内溶液が計量されて、注出可能になる。
上記のようにして内溶液を計量して注出可能にした液体計量注出容器は、前記した図４に示した実施例の場合と同様に、手中に握った容器本体を逆さまの状態にして、その吐出口を目的面に向けてから胴壁部を押圧することにより内溶液を注出して、目的物に塗布することができる。
【００３０】
上記したように、本願の発明は、注出する内溶液を一定量に計量する計量室を形成する中栓に、注出口を設けた中蓋を被着して回動可能に螺合せしめて、溶液の注出口を開閉可能に形成した蓋体を、胴壁部が握力により圧縮変形が可能な中空容器の口頸部に装着して、内溶液を計量可能にすると共に、計量した溶液を少量ずつ注出可能とした液体定量注出容器を形成したものであるから、前記口頸部に装着した蓋体の中蓋を回動することにより、前記中蓋または中栓を上下動せしめて注出口の開口部を開放することができると共に、計量室の容量を変更することができる。
そして、前記中蓋は、その上端部が多段状に絞られて、先端部に吐出口が形成されているので、計量室内の溶液を少量ずつ注出することができて、また、段状部分は柔軟性があるので吐出口を吐出面に押し当てて注出することもできる。
また、本願の発明は、前記中蓋の筒状体の上端部分を多段状にしたものに限るものではなくて、テーパー状あるいは曲面状をした圧縮変形が可能な状態に形成されたものであってもよい。
【００３１】
【発明の効果】
以上説明したように、本願の発明は、容器の口頸部に嵌着されて開口部を塞ぐ栓体底部に立設した内溶液を導出する筒体と栓体底部の周縁に立設した筒状の周壁とにより筒状の計量部を形成した中栓に、筒状体の上端部を多段状に形成して、その先端部に溶液を注出するための開口部が設けられた中蓋を螺合して、中栓または中蓋を上下動可能にした計量室を備えてなる蓋体を形成して、該蓋体を注出溶液を収容した中空容器の口頸部に嵌着して、内容液の計量注出を可能にした液体計量注出容器を構成したものであるから、中蓋を回動させることにより中蓋の開口部が中栓の導出筒体の先端部に離接して、注出口の開口部を開閉可能できて、また、中蓋の回動率により計量室の容量を変更することが可能である。
【００３２】
また、中栓の導出筒体の上端部を多段状に形成すると共に容易に変形が可能なように肉薄に形成したので、塗布面に注出口を押し当てる押圧度合いにより吐出量を適当にコントロールすることができて、また、中空容器に嵌着した蓋体に保護用の外蓋を螺着するようにしたので、不用意に内溶液が注出するようなこともない。
【図面の簡単な説明】
【図１】本願発明の液体計量注出容器を示した縦断面図である。
【図２】図１に示す液体計量注出容器の蓋体を開口した場合を示した蓋部の半断面図である。
【図３】本願発明の液体計量注出容器に於いて、注出する内容液を計量する状態を示した縦断面図である。
【図４】図４に示すようして計量した内溶液を注出する場合の縦断面図である。
【図５】図１に示す液体計量注出容器に於いて、注出する内溶液の量を選択可能にした蓋体の説明図である。
【図６】図１に示す液体計量注出容器に於いて、注出する内溶液の量を多くする場合を状態を示す断面図である。
【図７】注出する内溶液の量を多くした場合の計量室の状態を示す断面図である。
【図８】本願発明の別の実施例を示す蓋体部分の縦断面図である。
【図９】図８に示す実施例の中栓と容器の口頸部との係合状態を示した部分断面図である。
【図１０】本願発明の別の実施例に於ける蓋体部分を示した半断面図である。
【図１１】図１０に示した例に於ける計量状態を示す蓋体部分の半断面図である。
【図１２】図１０に示した例に於ける計量の容量を大きくした状態を示す蓋体部分の半断面図である。
【図１３】図１２に示した状態で計量した時の計量室を示す蓋体部分の半断面図である。
【図１４】本願発明の先行例の計量注出容器を示した部分断面図である。
【図１５】図１４に示した容器の注出状態を示す部分斜視図である。
【図１６】容器の注出口の開口部を調節可能な蓋体を示す従来例である。
【符号の説明】
１．    注出容器本体
１ａ．  容器の口頸部
１ｂ．  容器の胴壁部
２．    中栓
２ａ．  筒状体
２ｂ．  導出筒体
２ｃ．  先端面
２ｄ．  筒状周壁
２ｅ．  底壁部
２ｆ．  嵌合筒部
３．    中蓋
３ａ．  上端部
３ｂ．  注出口
３ｃ．  外側筒状壁
３ｄ．  内側筒状壁
３ｅ．  開口部
４．    外蓋
４ａ．  底面突起部
４ｂ．  下端部
５．    吸い上げ管
６．    計量室
７．    中空容器蓋体
【図１】
0004684485.tif 000002
【図２】
0004684485.tif 000003
【図３】
0004684485.tif 000004
【図４】
0004684485.tif 000005
【図５】
0004684485.tif 000006
【図６】
0004684485.tif 000007
【図７】
0004684485.tif 000008
【図８】
0004684485.tif 000009
【図９】
0004684485.tif 000010
【図１０】
0004684485.tif 000011
【図１１】
0004684485.tif 000012
【図１２】
0004684485.tif 000013
【図１３】
0004684485.tif 000014
【図１４】
0004684485.tif 000015
【図１５】
0004684485.tif 000016
【図１６】
0004684485.tif 000017